(57)【特許請求の範囲】
【請求項１】
電動式空気浄化呼吸器で使用されるラジアルファン組立体であって、
羽根車と、
プリント基板（ＰＣＢ）と、
第１のスクロールケーシング要素と第２のスクロールケーシング要素とを備えるスクロールケーシングと、を備え、前記プリント基板が、前記第２のスクロールケーシング要素として機能する、ラジアルファン組立体。
【請求項２】
電動式空気浄化呼吸器であって、
フィルタ組立体と、
第１のスクロールケーシング要素と第２のスクロールケーシング要素とを備える少なくとも１つのスクロールケーシングを含むラジアルファン組立体と、を備え、
プリント基板が、前記第２のスクロールケーシング要素として機能する、電動式空気浄化呼吸器。
【発明の詳細な説明】
【技術分野】
【０００１】
本開示は、電動式空気浄化呼吸器で使用されるラジアルファン組立体であって、スクロールケーシングがプリント基板の少なくとも一部分を含むラジアルファン組立体に関する。
【背景技術】
【０００２】
ラジアルファン、又は遠心ファンとしても知られるスクロールファンは、様々なデバイスにおいて様々な目的に使用される。用途としては、例えば、温度調節器、車両及び機械類の冷却装置、個人的な快適さ、換気、ヒューム排出、粉塵除去、及び乾燥が挙げられる。特に、スクロールファンは、ドライヤー及びリーフブロワーからパーソナルコンピュータの冷却ユニット及び電動式空気浄化呼吸器に及ぶ様々なデバイスに使用することができる。
【０００３】
典型的なスクロールファンは、スクロール形状のケース及び羽根車と呼ばれる可動構成要素を有する。羽根車の多くは中心軸で構成され、その周りに１式のブレード又はリブが配置される。空気は中心軸の中又は近くのファンに通常入る。次に、羽根車が回転するにつれて空気は中心軸からスクロール形状のファンケースの開口部に移動する。空気は偏向及び遠心力によって排気口へと外向きに回転する。スクロールファンはファンの吸気口に対して斜め又は垂直の角度で空気を吹き出す。スクロールファンは、所与の空気量に対して他のタイプのファンより大きな圧力を生成することが可能で、それは上述のような特定用途には望ましいことであり得る。
【０００４】
スクロール形状のケース及び羽根車に加えて、スクロールファンは一般的に、モータ及び多くの場合制御回路を含む。従来のスクロールファン構造は、スクロールケーシング、スクロールケーシング内に封入される羽根車、羽根車を回転させるモータ、及び多くの場合モータ内に装着される小さなプリント基板（ＰＣＢ）を有する。次に、モータ及びＰＣＢは、コネクタリボン又は他の手段を経由してより大きなプリント基板に接続され得る。次に、スクロール及びより大きなＰＣＢは各々の特定デバイス内に収容される。
【０００５】
スペースは任意のスクロールファンの設計の重要な制約要因になり得る。電動式空気浄化呼吸器（ＰＡＰＲ）も例外ではない。スクロールファンを含むＰＡＰＲは、フード、ヘルメット、顔面マスク、スーツ、ベルトに装着される呼吸用マスク、及び他の形式を含む様々なデザインで提供され得る。これらのデザインの多くは、特にＰＡＰＲが携帯可能である、又は着用者によって持ち運ばれることを意図する場合、軽量な、人間工学的、かつコンパクトなデザインが特に重要である。
【発明の概要】
【課題を解決するための手段】
【０００６】
一態様では、本開示は、電動式空気浄化呼吸器で使用されるラジアルファン組立体に関する。ラジアルファン組立体は、少なくとも羽根車、プリント基板、及びスクロールケーシングを含む。スクロールケーシングは第１のスクロールケーシング要素及び第２のスクロールケーシング要素を含む。第２のスクロールケーシング要素はプリント基板の少なくとも一部分を含む。
【０００７】
別の態様では、本開示は、電動式空気浄化呼吸器（ＰＡＰＲ）に関する。ＰＡＰＲは、少なくとも１つのフィルタ組立体及びラジアルファン組立体を含む。ラジアルファン組立体はスクロールケーシングを含む。スクロールケーシングはプリント基板の少なくとも一部分を含む。
【図面の簡単な説明】
【０００８】
以下の本発明の異なる実施形態の詳細な説明を、添付の図面と併せて考慮することで、本発明のより完全な理解が可能である。
【図１】例示的な電動式空気浄化呼吸器の図。
【図２】電動式空気浄化呼吸器で使用するコンパクトなスクロールファン組立体を備えた送風機組立体の分解組立図。
【図３】コンパクトなスクロールファン組立体の上面図。
【図４】コンパクトなスクロールファン組立体の分解組立図。
【図５】送風機組立体の切断図。
【図６】本開示と一致する例示的なプリント回路基板の上面図。  以下に示す例示した実施形態の説明において、本発明を実施し得る様々な実施形態を実例として示す添付図面を参照する。本発明の範囲から逸脱することなく、実施形態を利用することができ、また構造的変更を行なってもよいことを理解されたい。図面の縮尺は必ずしも正確ではない。図面で用いられる同様の番号は同様の構成要素を示すものとする。しかしながら、特定の図中のある要素を示す数字の使用は、同じ数字によって示される別の図中のその要素を限定するものではないことが理解されよう。
【発明を実施するための形態】
【０００９】
次に、本発明の好ましい実施形態を示す添付図面を参照して、本発明をより詳細に説明する。しかしながら、本発明は、多くの異なる形態で具現化されてもよく、本明細書で説明する実施形態に限定されると解釈されるべきではなく、むしろこれらの本実施形態は、本開示が徹底的かつ完全に、そして十分に本発明の範囲を当業者に伝達するように提供される。
【００１０】
図１は例示的な電動式空気浄化呼吸器１０（ＰＡＰＲ）を示す。電動式空気浄化呼吸器（ＰＡＰＲ）は健康に有害又は有毒な可能性のある粉塵、ヒューム、又はガスが存在すると分かっている、又は存在する危険性のある領域で作業するために一般的に使用される種類の呼吸用マスクである。ＰＡＰＲは、呼吸用マスクの使用者に強制空気流（forced flower of air）を送達する電動モータ駆動式ファンを含む送風機組立体１８を有する。フィルタ（単数又は複数）は送風機組立体に嵌着され、そこから空気がファンによって引き込まれる。空気は、送風機組立体１８から呼吸管又はホース１６を通って使用者１１の封じ込められた環境へと通過する。そのような環境は、保護面１４（図１に例示されるように）、ヘッドピース、又はスーツによって包囲されることが多い。図示した実施形態では、保護面は更に保護用ヘルメット１２を含む。このようにして、ホース１６は使用者の呼吸ゾーン５８にろ過した空気を供給する。
【００１１】
保護面１４は着用者が良く見えるように比較的透明であり得、ポリカーボネート材料又は任意の他の好適な材料から形成され得る。保護用ヘルメット１２は、使用者の顔面と接触して、使用者の呼吸ゾーン５８内のろ過した空気と外部環境との間にバリアを設けるシール部材又は顔面シール１３を更に含み得る。保護面１４は、単一ユニットとして成型されてもよく、又は後で互いに取り付けられる多数の構成要素を含んでもよく、又は任意の他の適切な方法により構成されてもよい。
【００１２】
図示した構成では、送風機組立体１８はベルト１９に装着され、使用者１１によってウエストのまわりに着用される。あるいは、送風機組立体は、使用者が送風機組立体１８を着用又は携帯できるバックパック又は任意の他のデバイスに装着され得る。ホース１６は、空気の流れを送風機組立体１８から、図示した実施形態で保護面１４及びヘルメット１２によって封じ込められる使用者の呼吸ゾーン５８まで導くために使用される。
【００１３】
ＰＡＰＲの１つの特定の構造が上述されるが、ＰＡＰＲの任意の変形又は構成を本開示に従って使用することができる。例えば、１つの構成ではフィルタ及び送風機組立体は、保護用ヘルメット又はフェースピース（呼吸補助ＰＡＰＲとしても知られる）に直接装着されてもよい。
【００１４】
図２は、電動式空気浄化呼吸器で使用するコンパクトなラジアルファン又はスクロールファン組立体３０を備えた送風機組立体２０の分解組立図を示す。多くのＰＡＰＲは、前述したように使用者によって着用される又は持ち運ばれるので、送風機組立体の寸法、重量、及び形状は重要な因子であり、使用者の快適さ及び移動性に寄与し得る。ファンはＰＡＰＲ内の重要な構成要素である。モータの効率及び速度に加えて、羽根車の直径、羽根のデザイン、及びスクロールケーシングのシール等の因子は使用者に供給する空気圧及び空気量に影響し得る。
【００１５】
図２は、空気量及び空気圧の水準を維持しながら、送風機組立体２０内のファン組立体３０に必要な全体のスペースを低減できるコンパクトなラジアルファン組立体３０の実施例を示す。送風機の後側ケース２２は、送風機組立体２０の外部構造を提供する。後側ケース２２は、使用者によって着用され得る又は持ち運ばれ得るベルト、ハーネス、バックパック、又は他の品目に送風機組立体２０を取り付けるためのクリップ、ストラップを通し得るスロット、連動装置、又は１つ以上の他の特徴を含み得る。図示した実施形態では、ファン組立体３０は送風機の後側ケース２２に隣接して嵌合する。ファン組立体３０は、第１のスクロールケーシング要素３４、及び本実施形態において第２のスクロールケーシング要素として機能するプリント基板（ＰＣＢ）３１を含む。第１のスクロールケーシング要素３４は、スクロールファンを通って気流を導く又は封じ込める機能をするスクロールケーシングの任意の部分であり得る。第１のスクロールケーシング要素３４は、円筒形又はボウル状の形状が挙げられるがこれらに限定されない任意の実現可能な形状を有し得る。第１のスクロールケーシング要素３４は、成型、鋳造、プレス加工、又は他の適切な製造方法によって形成され得る。
【００１６】
第２のスクロールケーシング要素もまた、スクロールファンを通って気流を導く又は封じ込める機能をするスクロールケーシングの任意の部分であり得る。図示した実施形態ではＰＣＢ  ３１は第２のスクロールケーシング要素として機能するが、ＰＣＢ  ３１は第２のスクロールケーシング要素の一部のみであってもよい。例えば、任意の適切な材料で作られた追加の構成要素がＰＣＢ  ３１に固定され、組み合わせたとき、第２のスクロールケーシング要素を形成してもよい。
【００１７】
第１のスクロールケーシング要素３４はＰＣＢ  ３１に装着され、フィルタ構成要素２６を通って引き込まれ、スクロールの周りを回転し、使用者に供給される空気の経路を形成する。プリント基板３１は、単層又は多層、剛性又は可撓性の形状において、有機基材又は無機基材を使用してもよい。送風機の前側ケース２４、すなわち着用者の身体と反対に向いている送風機のケースの部分は、ファン組立体３０を覆って嵌合し、送風機の後側ケース２２と接続する。フィルタ構成要素２６は送風機の前側ケース２４の前方に嵌合する。フィルタ構成要素２６は、例えば、クリップ、ねじ、スナップ、フィルタ構成要素２６を摺動させてスロットに入れる等の様々な方法で、又は当該技術分野において周知の他の方法で、送風機の前側ケース２４に取り付けられ得る。この構築は、ファン組立体が周囲空気をフィルタ構成要素２６を通して羽根車３６内及びスクロールケーシング（後述の図に図示される）の周りに引き込み、排気口３７を経由して空気を使用者の呼吸ゾーンに押し入れることを可能にする。
【００１８】
フィルタ構成要素２６は、多様な材料のうちの任意の１つ以上を含んでもよく、多様な物質を標的としてもよい。例えば、フィルタ構成要素２６は従来の濾床、ひだ付きの媒体、又は任意の他のタイプの濾過媒体、若しくは媒体の組合せを含むことができる。フィルタ媒体は、微粒子濾過媒体、化学的濾過媒体、又はこれら２つの任意の組合せを含んでもよい。化学品濾過媒体は１つ以上の吸着剤、触媒、又は化学反応性媒体を含むことができ、アンモニア、メチルアミン、ホルムアルデヒド、塩素、塩化水素、二酸化硫黄、酸性ガス、有機蒸気、又は任意の他の所望の気体又は汚染物質のような気体を標的とすることができる。一実施形態では、フィルタ構成要素２６は曲線状であり得、よりコンパクトな構築又は人間工学的な構築を提供する。
【００１９】
送風機組立体２０は様々な異なる方法で構成し得る。ファン組立体３０はフィルタ構成要素２６の下流に好ましくは配置され、ファン組立体３０が周囲空気から汚染物質を集めるのを防ぐ。しかしながら、別の実施形態では、フィルタ構成要素２６は、ファン組立体３０の下流に位置することが可能である。更に別の実施形態では、送風機の後側ケース２２及び送風機の前側ケース２４を含む代わりに、送風機のケースは単一構成要素とすることが可能である。送風機のケースは、２つ以上の構成要素を有する、又は図示されている構成とは異なる構成で２つの構成要素のみを含むことも可能である。送風機組立体２０は、内部に嵌合するように構成される、又はヘルメット若しくはフェースピースに装着される、又は他のタイプのＰＡＰＲと共に使用されることも可能である。
【００２０】
図３は、コンパクトなファンスクロール組立体３０の上面図を示す。第１のスクロールケーシング要素３４は、ねじ５１を用いてプリント基板３１に装着されスクロールファンケース５４を形成する。あるいは、クリップ、締付具、スナップ、ピン等の任意の他の装着方法若しくはデバイス、又は当該技術分野において周知の任意の他の方法を使用して、第１のスクロールケーシング要素３４をプリント基板３１に固定させることが可能である。ガスケット６１又は別のシール要素をＰＣＢ  ３１と第１のスクロールケーシング要素３４の端部との間に配置し、ＰＣＢ  ３１と第１のスクロールケーシング要素３４との間に気密又はほぼ気密のシールをもたらすことができる。ガスケット６１は一種の発泡体又はゴムなどのエラストマー材を含む任意の適切な材料で作ることができる。図示した実施形態では、ＰＣＢ  ３１は装着された他の構成要素も有し、これには、バッテリコネクタ３５、及びトランジスタ、マイクロコントローラ、ダイオード、レジスタなどの他の個別の電気部品４２、送風機組立体２０の制御回路で使用される他の構成要素、更にはＰＡＰＲの他の部品を含む。
【００２１】
図４は、コンパクトなスクロールファン組立体３０の分解組立図を示す。ＰＣＢ  ３１はスクロールケーシングの一部分であり、ファンスクロール内で気流を導く又は封じ込めるように、スクロールケーシング構成要素として機能する。ＰＣＢ  ３１はモータ５５の装着面としても機能する。モータ５５は少なくとも、固定子３２、回転子組立体３３、軸受タワー６２、及びホール効果センサ６８を含む。固定子３２はＰＣＢ  ３１にはんだ付けされ得る、又は別の方法で固定され得る。軸受タワー６２は、固定子３２が固定される側と反対側のＰＣＢ  ３１の面に取り付けられる、又は固定され得る。軸受タワー６２は、ねじ又は当該技術分野において周知の任意の他の固定方法を用いてＰＣＢ  ３１に取り付けられ得る。回転子３３は固定子３２上に装着できる。ホール効果センサ６８ははんだ付けなどの方法でＰＣＢ  ３１に固定させることができ、回転子３３の位置を感知する機能をする。この情報はより正確なモータ制御ができるようにモータ制御装置（図示せず）にフィードバックすることができる。
【００２２】
モータ５５と第１のスクロールファンケース要素３４との両方をＰＣＢ  ３１に装着する１つの利点は、本質安全用途のための設計及び安全の要件を満たすための、単一でより大きなサイズのＰＣＢ  ３１の可用性である。従来のモータ設計はモータ５５内に装着されるより小さなＰＣＢを有し、モータ５５を対応する駆動部品及び安全部品（典型的に第２のＰＣＢに装着される）に接続するためにコネクタが使用される。モータ５５をより大きなＰＣＢ  ３１に装着することで、モータの駆動電子機器及び安全部品を同じＰＣＢ  ３１に直接装着することができる。安全部品の例としては、モータ電圧が最大レベルを超えるのを防ぐために使用されるダイオードが挙げられる。次に、これらの構成要素は、追加のコネクタ構成要素又はリボンを必要とせずにＰＣＢのトレースを使用してモータ５５に接続することができる。これは結果として（This is turn）接続不良又は火花の可能性を低減することができ、設計が危険個所での使用の認証を受けるための安全要件を満たすことを可能にする。
【００２３】
羽根車３６は回転子組立体３３に装着される。一実施形態では、羽根車３６は摩擦を使用して回転子組立体３３に装着できる。あるいは、羽根車３６は回転子組立体３３上に直接成型される、接着剤を使用して回転子組立体３３に固定される、又は任意の他の適切な方法で固定され得る。第１のスクロールケーシング要素３４がＰＣＢ  ３１に最後に装着され、ＰＣＢ  ３１と共にスクロールファン組立体３０のスクロールケーシング５４を形成する。図示するように、本実施形態ではＰＣＢ  ３１の一部分のみがスクロールケーシング５４の部品を形成する。別の実施形態では、ＰＣＢ  ３１のより大きな表面積又はより小さな表面積がスクロールケーシング５４の部品として使用され得る。あるいは、２つ以上の構成要素がスクロールケーシング５４の形成に使用され得る。
【００２４】
固定子３２、回転子組立体３３、軸受タワー６２及びホール効果センサ６８が組み合わさり、羽根車３６を回転する電動モータ５５を形成する。羽根車３６が回転すると、周囲空気が吸入口３８を通って引き込まれる。羽根車３６の羽根５２は、第１のスクロールケーシング要素３４とＰＣＢ  ３１との両方によって形成されるスクロールケーシング５４の空気通路５３の湾曲部の周りに空気を押し込む。排気口部品３７はスクロールケーシング５４に取り付けられる。排気口部品３７はホース１６（図１に示す）をスクロールケーシング３４に接続して、スクロールファン組立体３０と使用者の呼吸ゾーン５８（図１に示す）との間に気流を確保できる。
【００２５】
電動モータ５５は、スクロールファンとの併用に適している任意のタイプのモータであり得る。例えば、直流（ＤＣ）ブラシレスモータ又はＤＣブラシモータなどのＤＣモータであってもよい。交流（ＡＣ）誘導モータ又はＡＣ同期モータなどのＡＣモータも使用され得る。ＰＡＰＲへの電力供給に電池が使用される場合、ＡＣモータの使用はＤＣ電力をＡＣモータが使用できる形態に変換するために更にインバータの使用を必要とするので、ＤＣモータの使用の方がＡＣモータより有利な場合がある。
【００２６】
ＰＡＰＲ  １０の送風機組立体２０への電力供給に電池が使用される場合、リチウムイオン、ニッケル金属水素化物、又はニッケルカドミウムを含む様々な電池が使用可能である。電池は任意の所望の方法でＰＡＰＲ  １０に接続され得る。例えば、電池は、送風機組立体２０内に収容される、送風機組立体２０の外側に取り付けられる、ケーブル経由で送風機センター２０に取り付けられる、又は任意の他の手段で取り付けられ得る。一実施形態では、粉塵又は他の有害である可能性のある汚染物質によってコネクタピンが汚染されるのを防ぐために、電池コネクタ組立体３５は、電池に気密シールを提供するように設計され得る。
【００２７】
図示した実施形態では、羽根車３６は後向き羽根５２を有するが、羽根車３６は任意の適切な羽根設計、例えば、前向き羽根、平坦羽根、又は任意の他の有効な設計を有してもよい。羽根車３６は、後に互いに固定される数個の異なる部品にて製造されてもよく、又は羽根車３６全体が、一体の構造であってもよい。例えば、羽根車３６の基部及び羽根が単一構成要素として成型され、後に例えばリング等の環状構造物に固定されて羽根車３６を形成してもよい。羽根車３６は、成型又は任意の他の適切な方法により作製され得る。
【００２８】
図５は、送風機組立体２０の断面図を示す。図示したこの実施形態では、送風機の後側ケース２２は、着用者に最も近い送風機ケースの部分を形成する。Ｔ字形のクリップ４４は送風機の後側ケース２２から突出し、送風機組立体２０をベルト若しくは他のタイプのストラップ、保持具、又は衣服に固定するために使用され得る。この実例では、送風機の後側ケース２２の表面はわずかに曲がっており着用者のウエストに順応する。ＰＣＢ  ３１は送風機の後側ケース２２に隣接して配置されてもよい。この特定の実施形態ではＰＣＢ  ３１は剛性であるが、代わりにＰＣＢ  ３１は送風機の後側ケース２２又は送風機ケースの他の部分の形状により順応するように可撓性であり得る。フレキシブルＰＣＢには可撓性基板に製造されるプリント回路が含まれ、折り重ねる又は曲げることができる。フレキシブルＰＣＢは、回路が利用可能なスペースにより良好に装着する、又はより良い動きを可能にすることができる場合がある。
【００２９】
軸受タワー６２、固定子３２、及び回転子３３を含むモータ５５は、ＰＣＢ  ３１に装着される。羽根車３６はモータ５５によって回転する。第１のスクロールケーシング要素３４はＰＣＢ  ３１に固定され、この実例では、羽根車３６及びモータ５５を覆い、同時に吸入口３８に開口部を提供する。送風機の前側ケーシング２４は羽根車を覆い、この実例では、送風機の後側ケース２２に接続されスクロールファン組立体３０を包む。前述のように、当該技術分野において周知の任意のタイプの送風機ケースが本開示に一致して使用され得る。フィルタ構成要素２６は、上部に取り付けられる（図示するように）、又は送風機ケース２２の前部の外方に向いている表面に装着される。前述のように、フィルタ構成要素２６は、クリップ、ねじ、スナップ、フィルタ構成要素２６を摺動させてスロットに入れる等の任意の取り付け方法を用いて、又は当該技術分野において周知の任意の他の方法で、送風機ケースに、又は送風機ケース内に固定され得る。あるいは、フィルタ構成要素２６は、スクロールファン組立体３０の下流、又はＰＡＰＲの他の望ましい位置に配置され得る。
【００３０】
図６は、本開示に一致するプリント基板３１の上面図を示す。この実例では、固定子３２、電池コネクタ組立体３５、及び他の電気部品４２はＰＣＢ  ３１に装着される。追加的に、センサ４３がＰＣＢ  ３１に装着できる。一実施形態では、センサ４３はスクロールファン組立体３０の空気流路内にある。
【００３１】
当該技術分野において周知の任意のタイプのＰＣＢ  ３１が本開示と一致して使用され得る。ＰＣＢは、導電性経路又はトレース５７を使用して電子部品を機械的に支持し、かつ電気的に接続するために一般に使用される。ＰＣＢのトレース及び電子部品のトレースは様々な方法で作製され得る。例えば、トレース５７は非導電性基板上に積層される銅板からエッチングされ得る。基板は様々な材料で作製され得る。例えば、基板はエポキシ樹脂があらかじめ含浸された繊維と共に積層された複層誘電体で作製されてもよい。一般に使用される１つの誘電体はポリテトラフルオロエチレンである。あらかじめ含浸された繊維は、例えば、フェノール綿紙、綿紙とエポキシ、ガラス織布とエポキシ、ガラスマットとポリエステル等であってもよい。エポキシの層が積層されると、例えば、薄い銅箔で作られた導電層で被覆され得る。
【００３２】
トレース５７はいくつかの異なる方法で作ることができる。例えば、シルクスクリーン法を用いて一時的なマスクを塗布後に不要な銅を取り除き、所望の銅のトレースだけを残すことができる。所望の銅トレースを覆うそのようなマスクは、シルクスクリーン印刷を用いて耐エッチングインクを塗布して銅箔を保護することで作ることができる。その後のエッチングにより不要なインクを取り除くことができる。フォトエッチング方法はフォトマスクと化学エッチングを用いて、基板から銅箔を取り除く。フォトマスクは、コンピュータ援用製造ソフトウェアを使用して、技術者によって提供されるデータを用いてフォトプロッタで作成し得る。ＰＣＢミリングは２軸又は３軸の機械的ミリング装置を使用して基板から銅箔を平削りする。ミリングは、より少数量又はプロトタイプの数量に特に有用であり得る。トレース５７は、所望のトレースのみが透き通るように逆マスクがＰＣＢ上の銅層又は導電層を覆って塗布されるアディティブ法で作製することもできる。次に、追加の銅又は導電性材料が基板の覆われていない部分にめっき処理され得る。
【００３３】
ＰＣＢ  ３１は基板の両側の主表面にトレースを有し得る。ＰＣＢに穿設される穴、バイアは、導電性材料の環状リングで充填されることが多く、ＰＣＢの両側の導体又はトレースの熱的接続及び電気的接続を可能にする。更には、多層ＰＣＢとして知られるＰＣＢは、ＰＣＢの内部にトレース層を有するものもある。これらは個別にエッチングされた薄型基板を接合することにより形成され得る。
【００３４】
ＰＣＢ  ３１上のトレース５７は、フォトレジストなどの材料でコーティングされ露出した銅がエッチング処理されるのを防ぐことができる。はんだ付けされるべきでない領域、又はトレースを含まない領域は、はんだマスクコーティングで覆うことができる。そのようなコーティングは、はんだが導体間でブリッジングし、短絡を起こすのを防ぐことができる。
【００３５】
他のコーティングがＰＣＢ  ３１に塗布され得る。例えば、エポキシ樹脂又はシリコーンなどのコンフォーマルコーティングをＰＣＢの全表面に塗布する、又はＰＣＢの表面の一部分のみに塗布することができる。例えば、第１のスクロールケーシング要素に最も近いＰＣＢ  ３１の部分はコンフォーマルコーティングでシールされ得る。例示的な１つのコーティングは、３Ｍ  Ｃｏｍｐａｎｙ（Ｓｔ．Ｐａｕｌ，Ｍｉｎｎｅｓｏｔａ）製の３Ｍ（商標）Ｎｏｖｅｃ（商標）コーティング液である。コーティングは、ＰＣＢ表面上の任意の露出したトレース又はバイアをシールするのに役立ち、ＰＣＢの表面に装着される任意の構成要素の保護に加えて、ＰＣＢの表面の保護を提供し得る。いくつかの実施形態では、そのようなコーティングを第１のスクロール要素に最も近いＰＣＢの側面に施すことで流体バリアとして機能し得る。これはファンの効率、そして結果的にはＰＡＰＲの効率を上昇させ得る。
【００３６】
センサ４３は、第１のスクロールケーシング要素３４も装着されるＰＣＢ  ３１の同じ表面に、ＰＣＢ  ３１上の任意の適切な位置に装着できる。更には、センサ４３は、ＰＣＢ  ３１の対向面に装着されてもよく、又はスクロールケーシングの内部に配置されるようにスクロールファンの空気経路の場所に装着されてもよい。センサ４３は、温度、空気圧、モータの位置、モータ速度等のパラメーター、又は他の所望のパラメーターを監視し得る。本開示と一致して使用し得るセンサの実施例としては、Ｆｒｅｅｓｃａｌｅ（商標）（Ａｕｓｔｉｎ，Ｔｅｘａｓ）が販売するＭＰＬ１１５Ａディジタルバロメータ、又はＨｏｎｅｙｗｅｌｌ，Ｉｎｃ．（Ｍｏｒｒｉｓｔｏｗｎ，Ｎｅｗ  Ｊｅｒｓｅｙ）が販売するＡＳＤＸシリーズ圧力センサ、又は他の適切なセンサが挙げられる。
【００３７】
他の電気部品４２（受動型又は能動型）は、ＰＣＢ  ３１の任意の所望位置に装着できる。例えば、マイクロプロセッサ、抵抗器、コンデンサ、トランジスタ、ダイオード、継電器、無線トランシーバ、任意のその他の、又はそのような構成要素の組み合わせが本開示と一致して使用されてもよい。構成要素４２は、スクロールケーシングの内部に、スクロールケーシングの外部に、又は第１のスクロールケーシング要素の反対側のＰＣＢ  ３１の面に装着できる。
【００３８】
電子機器４２はＰＡＰＲの任意の部分の、又はＰＡＰＲ全体の制御電子機器になり得る。制御電子機器４２は、例えば、ＰＡＰＲの空気流量を管理する、残りの電池寿命を計算する、フィルタの負荷及び任意の他の所望のパラメーターを監視するのに使用され得る。
【００３９】
個別の構成要素又は１つ以上の導体としてのコネクタ３５は、ＰＣＢ  ３１及びＰＣＢ  ３１上の任意の構成要素を電源に接続するために使用され得る。上述のように、一実施形態において、電源は電池であり得る。あるいは、交流電力の形式であってもよい。ＰＣＢ  ３１の電源は任意の所望の方法で配置され得る。例えば、電源は、ＰＣＢ  ３１に電気的に接続してＰＣＢ  ３１に、又はＰＣＢ  ３１以外のところに装着してもよく、あるいはＰＣＢから取り外しされてもよい。
【００４０】
前述の説明及び関連した図に提示された教示の利益を得て、本発明に関係する当業者にとって本発明の多くの修正及び他の実施形態が考案される。したがって、本発明は開示された特定の実施形態に限定されるものでなく、修正及び他の実施形態は添付特許請求の範囲内に含まれるものとすることを理解すべきである。特定の用語が本明細書で使用されるが、それらは一般的でかつ記述的な意味のみで使用され限定する目的ではない。
【図１】
0005881703.tif 000002
【図２】
0005881703.tif 000003
【図３】
0005881703.tif 000004
【図４】
0005881703.tif 000005
【図５】
0005881703.tif 000006
【図６】
0005881703.tif 000007